【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
電子クーポンをユーザー・クライアント装置に供給するよう構成されたクーポン・サーバー・ハードウェア装置であって、前記電子クーポンは：
ユーザー・クライアント装置上に表示されるユーザー・ビューにおいて、
クーポン特典のテキストおよび／またはグラフィックによる表現を表示する特典表示領域と；
ユーザーのソーシャル・ネットワーク・プロファイルまたはアドレス帳内の友人のうちから選択される、前記電子クーポンの一または複数の使用候補者友人のリストを表示する候補表示領域とが表示され、
前記リスト中の各使用候補者友人は、関連付けられたセレクタをもつようなデータ構造を有しており、
前記データ構造は、使用候補者友人に対応するセレクタの当該ユーザーによる前記ユーザー・クライアント装置を介した選択がされると、前記ユーザー・クライアント装置に、前記電子クーポンをその選択された使用候補者友人のクライアント装置に送るよう当該クーポン・サーバー・ハードウェア装置に指示する該クーポン・サーバー・ハードウェア装置へのメッセージを送信させるよう構成されている、クーポン・サーバー・ハードウェア装置。
【請求項２】
前記電子クーポンの前記データ構造が、前記ユーザー・クライアント装置上に表示されるユーザー・ビューにおいてさらに、前記クーポン特典の一つまたは複数の条件を含む条件表示領域を表示させるよう構成されている、請求項１記載のクーポン・サーバー・ハードウェア装置。
【請求項３】
前記条件の一つが、前記クーポン特典が、前記一または複数の使用候補者友人によって、または前記ユーザーおよび前記一または複数の使用候補者友人によって一緒に、使用可能であるが、前記ユーザー単独によっては使用可能でないことを指定する、および／または、前記電子クーポンが前記ソーシャル・ネットワークにおいて友人の友人に転送可能であるかどうかを指定する、請求項２記載のクーポン・サーバー・ハードウェア装置。
【請求項４】
前記電子クーポンの前記データ構造が、前記ユーザー・クライアント装置上に表示されるユーザー・ビューにおいてさらに、電子クーポンを該クーポンを使用する友人と共有することを通じて前記ユーザーによって獲得される報賞ポイントの表示を含む報賞ポイント表示領域を表示させるよう構成されている、請求項１記載のクーポン・サーバー・ハードウェア装置。
【請求項５】
請求項１記載のクーポン・サーバー・ハードウェア装置であって、前記電子クーポンの前記データ構造がさらに：
選択された使用候補者友人の前記クライアント装置上に表示される友人ビューにおいて、
選択された使用候補者友人が前記クーポンを受け取ったもとのユーザーの識別情報と；
前記ユーザーからのメッセージと；
使用セレクタとが表示されるよう構成されており、
前記電子クーポンの前記データ構造がさらに、
前記使用セレクタの、前記使用候補者友人による、前記使用候補者友人の前記クライアント装置を介した作動がされると、前記使用候補者友人の前記クライアント装置に前記電子クーポンを使用を開始させるよう構成されている、
クーポン・サーバー・ハードウェア装置。
【請求項６】
少なくとも一つのサーバー・ハードウェア装置を有する電算化されたクーポン・サーバー・システムであって、前記少なくとも一つのサーバー装置は：
複数のユーザーのそれぞれについてのユーザー・プロファイルのデータベースであって、前記ユーザー・プロファイルは各ユーザーについてのソーシャル・グラフ・データおよび履歴データを含む、データベースと；
第一の機械学習アルゴリズムによって生成された第一の予測モデルを使って、前記ユーザー・プロファイルから、各ユーザーについての履歴データおよびソーシャル・グラフ・データとプロモーター一致基準との間の判別される一致に基づいて、閾値確率内でターゲット製品またはサービスのプロモーターになると予測されるプロモーター候補者であるユーザーの部分集合を同定するよう構成されたプロモーター・モジュールと；
第二の機械学習アルゴリズムによって生成された第二の予測モデルを使って、同定された各プロモーターについて、該プロモーターと所定のソーシャル関係をもつユーザーのうちから、閾値確率内でターゲット製品またはサービスのクーポンを使用することが確からしい一または複数の使用候補者を決定するよう構成された使用者モジュールと；
ターゲット製品またはサービスについての電子クーポンを生成し、各プロモーター候補者のクライアント装置に付随するディスプレイ上での表示のために各プロモーター候補者のクライアント装置に供給するよう構成されたクーポン・エンジンとを実装するよう構成されており、
各プロモーター候補者のための各電子クーポンは、前記プロモーター候補者とは別人であり、前記プロモーター候補者のソーシャル・グラフから選択される一または複数の使用候補者を含み、
プロモーター候補者が該プロモーター候補者のクライアント装置を介して、選択された使用候補者に対応するセレクタを選択すると、前記クーポン・エンジンは、前記電子クーポンをその選択された使用候補者のクライアント装置に送る、
クーポン・サーバー・システム。
【請求項７】
請求項６記載のクーポン・サーバー・システムであって、前記プロモーター・モジュールは、各ユーザーのソーシャル・グラフを調べてそのユーザーがターゲット製品またはサービスの自ら表明したファンであるかどうかを判定することによって、前記履歴データ中の購入取引を調べてそのユーザーがターゲット製品またはサービスを購入したことがあることを判別することによっておよび／または前記履歴データ中のブラウザー履歴を調べてそのユーザーがターゲット製品またはサービスに関係するウェブサイトを訪問しているかどうかを判定することによって、前記プロモーター候補者を決定するよう構成されている、クーポン・サーバー・システム。
【請求項８】
請求項６記載のクーポン・サーバー・システムであって、前記使用者モジュールは、各ユーザーのソーシャル・グラフを調べてそのユーザーがターゲット製品またはサービスの自ら表明したファンであるかどうかを判定することによって、各ユーザーのソーシャル・グラフを調べてそのユーザーがターゲット製品またはサービスのファンと友人であるかどうかを判定することによって、前記履歴データ中の購入取引を調べてそのユーザーがターゲット製品またはサービスをまだ購入していないことを判別することによっておよび／または前記履歴データ中のブラウザー履歴を調べてそのユーザーがターゲット製品またはサービスが属する製品またはサービスのカテゴリーに関係するウェブサイトを訪問しているかどうかを判定することによって、前記使用候補者を決定するよう構成されている、クーポン・サーバー・システム。
【請求項９】
請求項６記載のクーポン・サーバー・システムであって、前記使用候補者および関連するプロモーター候補者は、ソーシャル・ネットワークにおいて同じターゲット製品またはサービスについて好感をもつことが検出されており、前記好感は、前記ソーシャル・ネットワーク内で、そのユーザーがターゲット製品またはサービスのファンである、ターゲット製品またはサービスについての好みの指示を表明した、またはターゲット製品またはサービスを好んだ多くの友人をもつことを検出することによって、判別される、クーポン・サーバー・システム。
【請求項１０】
請求項６記載のクーポン・サーバー・システムであって、前記電子クーポンは、ターゲット製品またはサービスがオファーされる小売施設の地理的近傍における前記プロモーター候補者および関連する使用候補者の検出に際して生成される、クーポン・サーバー・システム。